(57)【要約】【課題】この発明は、映像信号の持つ階調を劣化させることなく、簡易な構成で表示映像の明るさを容易に可変することができるようにした映像表示装置及び映像表示方法を提供することができる。【解決手段】平面的に配列された複数の電子放出素子４２と、複数の電子放出素子４２の配列面に対向して設置され、各電子放出素子４２に印加する電圧の時間長に応じた輝度で発光するスクリーン５１とを備えた表示パネル１４を備える。そして、映像信号をサンプリングした各サンプリング値に対応したパルス幅変調信号を得、この各パルス幅変調信号に対して表示映像の明るさを示す表示モードに応じたパルス幅制限を施して複数の電子放出素子４２に与える。【選択図】図３
2006284854.tif 000002
【特許請求の範囲】
【請求項１】
平面的に配列された複数の電子放出素子と、
前記複数の電子放出素子の配列面に対向して設置され、前記複数の電子放出素子に印加する電圧の時間長に応じた輝度で発光するスクリーンと、
映像信号をサンプリングし、その各サンプリング値に対応したパルス幅を有するパルス幅変調信号を得る変調手段と、
前記変調手段で得られた各パルス幅変調信号に対して、表示映像の明るさを示す表示モードに応じたパルス幅制限を施して前記複数の電子放出素子に与えるパルス幅制御手段とを具備することを特徴とする映像表示装置。
【請求項２】
相互に交差させて配置された複数の水平ライン及び複数の垂直ラインと、
前記複数の水平ライン及び複数の垂直ラインの各交差部でそれぞれ水平ラインと垂直ラインとに接続されるもので、電圧が印加されることにより電子を放出する複数の電子放出素子と、
前記複数の電子放出素子の配列面に対して所定間隔を置いて対向するように配置され、前記電子放出素子から放出された電子が当たるもので、前記複数の電子放出素子に印加する電圧の時間長に応じた輝度で発光するスクリーンと、
前記複数の水平ラインを順次選択する走査手段と、
映像信号を前記複数の水平ライン毎にそれぞれサンプリングし、その各サンプリング値に対応したパルス幅を有するパルス幅変調信号を得る変調手段と、
前記変調手段で得られた各パルス幅変調信号に対して、表示映像の明るさを示す表示モードに応じたパルス幅制限を施し、前記走査手段で選択された水平ラインに接続されている前記複数の電子放出素子に、前記複数の垂直ラインを介して供給するパルス幅制御手段とを具備することを特徴とする映像表示装置。
【請求項３】
前記パルス幅制御手段は、
前記表示モードを設定する要求に基づいて、明るさ設定用の画面を表示させる設定画面表示手段と、
前記設定画面表示手段で表示される明るさ設定用の画面上で設定された明るさに対応する係数を発生する係数発生手段と、
前記係数発生手段で発生された係数に基づいて、前記変調手段で得られた各パルス幅変調信号のパルス幅を制限する制限手段とを具備することを特徴とする請求項１または２記載の映像表示装置。
【請求項４】
前記設定画面表示手段は、異なる明るさに対応した複数の項目を有する明るさ設定用の画面を表示させ、この明るさ設定用の画面上で所望の項目を選択して決定させることを特徴とする請求項３記載の映像表示装置。
【請求項５】
前記制限手段は、前記変調手段で得られた各パルス幅変調信号のパルス幅を、前記係数発生手段で発生された係数に対応した比率に短縮することを特徴とする請求項３記載の映像表示装置。
【請求項６】
平面的に配列された複数の電子放出素子と、前記複数の電子放出素子の配列面に対向して設置され、前記複数の電子放出素子に印加する電圧の時間長に応じた輝度で発光するスクリーンとを有する表示パネルに、映像を表示させる映像表示方法であって、
映像信号をサンプリングし、その各サンプリング値に対応したパルス幅を有するパルス幅変調信号を得る第１の工程と、
前記第１の工程で得られた各パルス幅変調信号に対して、表示映像の明るさを示す表示モードに応じたパルス幅制限を施して前記複数の電子放出素子に与える第２の工程とを具備することを特徴とする映像表示方法。
【請求項７】
前記第２の工程は、
前記表示モードを設定する要求に基づいて、明るさ設定用の画面を表示させる工程と、
前記明るさ設定用の画面上で設定された明るさに対応する係数を発生する工程と、
発生された係数に基づいて、前記パルス幅変調信号のパルス幅を制限する工程とを具備することを特徴とする請求項６記載の映像表示方法。
【請求項８】
前記明るさ設定用の画面を表示させる工程は、異なる明るさに対応した複数の項目を有する明るさ設定用の画面を表示させ、この明るさ設定用の画面上で所望の項目を選択して決定させることを特徴とする請求項７記載の映像表示方法。
【請求項９】
前記パルス幅変調信号のパルス幅を制限する工程は、前記パルス幅変調信号のパルス幅を前記係数に対応した比率に短縮することを特徴とする請求項７記載の映像表示方法。
【請求項１０】
放送信号を受信する受信手段と、
前記受信手段で受信した放送信号から映像信号を復元する処理手段と、
平面的に配列された複数の電子放出素子と、
前記複数の電子放出素子の配列面に対向して設置され、前記複数の電子放出素子に印加する電圧の時間長に応じた輝度で発光するスクリーンと、
前記処理手段で復元された映像信号をサンプリングし、その各サンプリング値に対応したパルス幅を有するパルス幅変調信号を得る変調手段と、
前記変調手段で得られた各パルス幅変調信号に対して、表示映像の明るさを示す表示モードに応じたパルス幅制限を施して前記複数の電子放出素子に与えるパルス幅制御手段とを具備することを特徴とする放送受信装置。
【発明の詳細な説明】
【技術分野】
【０００１】
この発明は、例えばＳＥＤ（surface-conduction electron-emitter display）等の平面型表示パネルを用いた映像表示装置及び映像表示方法に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなテレビジョン放送を受信するテレビジョン放送受信機においては、薄型で大画面のものが望まれる傾向にある。このため、現在では、２つの素子電極間に電圧を印加することにより電子ビームを放出する表面伝道型電子放出素子を使用した、ＳＥＤ等の平面型表示パネルが広く採用されてきている。
【０００４】
すなわち、この平面型表示パネルは、表面伝道型電子放出素子から放出された電子ビームを、蛍光体をコーティングしたスクリーンに照射することにより蛍光物質を発光させることができ、そのときの輝度の強さを電子放出素子に印加する電圧の時間長で可変することができることを利用している。
【０００５】
具体的には、多数の電子放出素子をマトリクス状に平面配列し、この配列体をスクリーンに対向させるように設置する。そして、個々の電子放出素子に、映像信号のサンプリング値に応じた時間長の電圧パルスを印加することによって、スクリーン上に映像を形成するようにしている。
【０００６】
ところで、テレビジョン放送受信機には、周辺環境やユーザの好みに応じて、表示映像の明るさを可変する機能が備えられている。例えば、表示映像の明るい順に「鮮やか」、「標準」、「映画」の３種類の表示モードが用意されており、ユーザの操作によって各表示モードを選択的に切り替えることができるようになっている。
【０００７】
この場合、表示映像の明るさを可変するには、映像信号に係数を乗算してゲインを変更する手法が容易である。しかしながら、この手法では、映像信号の持つ階調が劣化するという問題が生じる。例えば、映像信号が８ビットで２５６階調を有していても、ゲインを１ビット分絞ると１２８階調に劣化することになる。
【０００８】
特許文献１には、映像信号のサンプリング値に応じてクロック数をカウントすることにより、電子放出素子に印加する電圧レベルを、１水平走査期間を最大パルス幅としてパルス幅変調する際、電圧パルスの時間的な最大パルス幅を変えることなくクロック周波数を可変して階調を変更可能とするようにした構成が開示されている。
【特許文献１】特開２００３−１９５８００号公報
【発明の開示】
【発明が解決しようとする課題】
【０００９】
そこで、この発明は上記事情を考慮してなされたもので、映像信号の持つ階調を劣化させることなく、簡易な構成で表示映像の明るさを容易に可変することができるようにした映像表示装置及び映像表示方法を提供することを目的とする。
【課題を解決するための手段】
【００１０】
この発明に係る映像表示装置は、平面的に配列された複数の電子放出素子と、複数の電子放出素子の配列面に対向して設置され、複数の電子放出素子に印加する電圧の時間長に応じた輝度で発光するスクリーンと、映像信号をサンプリングし、その各サンプリング値に対応したパルス幅を有するパルス幅変調信号を得る変調手段と、変調手段で得られた各パルス幅変調信号に対して、表示映像の明るさを示す表示モードに応じたパルス幅制限を施して複数の電子放出素子に与えるパルス幅制御手段とを備えるようにしたものである。
【００１１】
また、この発明に係る映像表示方法は、平面的に配列された複数の電子放出素子と、複数の電子放出素子の配列面に対向して設置され、複数の電子放出素子に印加する電圧の時間長に応じた輝度で発光するスクリーンとを有する表示パネルに、映像を表示させる方法を対象としている。そして、映像信号をサンプリングし、その各サンプリング値に対応したパルス幅を有するパルス幅変調信号を得る第１の工程と、第１の工程で得られた各パルス幅変調信号に対して、表示映像の明るさを示す表示モードに応じたパルス幅制限を施して前記の電子放出素子に与える第２の工程とを備えるようにしたものである。
【発明の効果】
【００１２】
上記した構成及び方法によれば、複数の電子放出素子に与えるパルス幅変調信号に対して、表示映像の明るさを示す表示モードに応じたパルス幅制限を施すようにしたので、映像信号の持つ階調を劣化させることなく、簡易な構成で表示映像の明るさを容易に可変することができるようになる。
【発明を実施するための最良の形態】
【００１３】
以下、この発明の実施の形態について図面を参照して詳細に説明する。図１は、この実施の形態で説明するテレビジョン放送受信機１１を正面側から見た状態を示している。このテレビジョン放送受信機１１は、主として、薄型のキャビネット１２と、このキャビネット１２を支持する支持台１３とから構成されている。
【００１４】
このうち、キャビネット１２には、その正面中央部にＳＥＤ等の平面型表示パネル１４が配置されている。また、このキャビネット１２には、その平面型表示パネル１４の両側に、スピーカ１５、操作部１６及びワイヤレスのリモートコントローラ１７から送出された操作情報を受信するための受信部１８等が配置されている。
【００１５】
一方、上記支持台１３は、キャビネット１２の底面中央部に回動自在に連結されるもので、所定の基台１９の水平面上に載置された状態で、キャビネット１２を起立させて支持するように構成されている。
【００１６】
図２は、上記テレビジョン放送受信機１１の信号処理系を概略的に示している。この信号処理系を構成する各種の回路ブロックは、主として、上記キャビネット１２の内部で背面に近い位置、つまり、上記平面型表示パネル１４の裏側あたりに配置されている。
【００１７】
そして、デジタルテレビジョン放送受信用のアンテナ２０で受信したデジタルテレビジョン放送信号は、入力端子２１を介してチューナ部２２に供給される。このチューナ部２２は、入力されたデジタルテレビジョン放送信号から所望のチャンネルの信号を選局し復調している。そして、このチューナ部２２から出力された信号は、デコーダ部２３に供給されて、例えばＭＰＥＧ（moving picture experts group）２デコード処理が施された後、セレクタ２４に供給される。
【００１８】
さらに、アナログテレビジョン放送受信用のアンテナ２５で受信したアナログテレビジョン放送信号は、入力端子２６を介してチューナ部２７に供給される。このチューナ部２７は、入力されたアナログテレビジョン放送信号から所望のチャンネルの信号を選局し復調している。そして、このチューナ部２７から出力された信号は、Ａ／Ｄ（analog／digital）変換部２８によりデジタル化された後、上記セレクタ２４に出力される。
【００１９】
また、アナログ信号用の入力端子２９に供給されたアナログの映像及び音声信号は、Ａ／Ｄ変換部３０に供給されてデジタル化された後、上記セレクタ２４に出力される。さらに、デジタル信号用の入力端子３１に供給されたデジタルの映像及び音声信号は、そのまま上記セレクタ２４に供給される。
【００２０】
上記セレクタ２４は、４種類の入力デジタル映像及び音声信号から１つを選択して、信号処理部３２に供給している。この信号処理部３２は、入力されたデジタル映像信号に所定の信号処理を施した後、上記平面型表示パネル１４を含む映像表示部３３に出力している。この映像表示部３３では、入力された映像信号に基づいて平面型表示パネル１４を駆動し、映像表示を行なわせている。また、上記信号処理部３２は、入力されたデジタル音声信号に所定の信号処理を施し、アナログ化して上記スピーカ１５に出力することにより、音声再生を行なっている。
【００２１】
ここで、このテレビジョン放送受信機１１は、上記した各種の受信動作を含む種々の動作を制御部３４によって統括的に制御されている。この制御部３４は、ＣＰＵ（central processing unit）等を内蔵しており、上記操作部１６からの操作情報、または、上記リモートコントローラ１７から送信された操作情報を受信部１８を介して受けることにより、その操作内容が反映されるように各部をそれぞれ制御している。
【００２２】
この場合、制御部３４は、主として、そのＣＰＵが実行する制御プログラムを格納したＲＯＭ（read only memory）３５と、該ＣＰＵに作業エリアを提供するためのＲＡＭ（random access memory）３６と、各種の設定情報及び制御情報等が格納される不揮発性メモリ３７とを利用している。
【００２３】
図３は、上記映像表示部３３の詳細を示している。この映像表示部３３は、上記平面型表示パネル１４と電圧パルス印加部３８と走査部３９とを備えている。このうち、平面型表示パネル１４は、複数の水平ライン４０と、この複数の水平ライン４０に交差する複数の垂直ライン４１と、複数の水平ライン４０と複数の垂直ライン４１との各交差部で、それぞれ、走査電極が水平ライン４０に接続され信号電極が垂直ライン４１に接続された表面伝導型の複数の電子放出素子４２と、後述するスクリーンとから構成されている。
【００２４】
この電子放出素子４２は、その信号電極と走査電極との間に印加された電位がスレッショルドを越えると電子放電が起き、対向するスクリーンの蛍光体を励起して発光させることができる。この場合、赤、緑、青の蛍光体を交互に配することで、カラー表示が可能となる。
【００２５】
また、上記電圧パルス印加部３８は、上記信号処理部３２から供給されるＲＢＧ映像信号の１水平走査期間分を、クロックＣＫ１によりサンプリングしてラインメモリ４３に保持する。このラインメモリ４３に保持された映像信号１ライン分のサンプリング値は、次の水平走査期間に後述するパルス幅変調信号を出力する動作を行なうため、ラッチパルスＤＬのタイミングに合わせてラインメモリ４４にラッチされ、各映像サンプリング値毎に用意されたコンパレータ４５１，４５２，４５３，……，４５ｎの一方の入力端に供給される。
【００２６】
一方、上記電圧パルス印加部３８には、１０ビットのカウンタ４６が備えられている。このカウンタ４６は、クロックＣＫ２をカウントアップし、リセット信号Ｒで初期化されることにより、水平走査期間毎に０から１０２３までの１０ビットの値を循環的に計数する。そして、このカウンタ４６の計数値は、各コンパレータ４５１，４５２，４５３，……，４５ｎの他方の入力端に供給される。
【００２７】
これらのコンパレータ４５１〜４５ｎは、それぞれ、ラインメモリ４４からの映像サンプリング値と、カウンタ４６の計数値とを比較し、カウンタ４６の計数値が映像サンプリング値より小さい場合にＨ（high）レベルを出力し、カウンタ４６の計数値が映像サンプリング値を越えた場合にＬ（low）レベルを出力する。
【００２８】
そして、各コンパレータ４５１〜４５ｎの出力は、それぞれ出力バッファ増幅器４７１〜４７nに供給される。これらの出力バッファ増幅器４７１〜４７nは、対応するコンパレータ４５１〜４５ｎの出力がＨレベルの場合に、基準電圧Ｖrefを出力する。
【００２９】
これにより、詳細は後述するが、各出力バッファ増幅器４７１〜４７nからは、電圧レベルが基準電圧Ｖrefで、映像サンプリング値に対応したパルス幅を有するパルス幅変調信号が出力されることになる。
【００３０】
その後、各出力バッファ増幅器４７１〜４７nから出力されたパルス幅変調信号は、それぞれ係数乗算器４８１〜４８nに供給される。これらの係数乗算器４８１〜４８nは、係数Ｋを乗算することにより、入力されたパルス幅変調信号のパルス幅を、係数Ｋに対応した比率に制限するように動作する。
【００３１】
例えば、係数Ｋが１であれば、入力されたパルス幅変調信号をそのパルス幅を変えることなくそのまま出力する。また、係数Ｋが０．７であれば、入力されたパルス幅変調信号のパルス幅を７０％に短縮して出力する。さらに、係数Ｋが０．５であれば、入力されたパルス幅変調信号のパルス幅を５０％に短縮して出力する。
【００３２】
この係数Ｋは、ユーザが平面型表示パネル１４における表示映像の明るさを設定する操作を行なうことにより、その設定された明るさに対応した値が制御部３４から供給されるようになっている。
【００３３】
そして、各係数乗算器４８１〜４８nから出力されたパルス幅変調信号が、平面型表示パネル１４の各垂直ライン４１に供給されることになる。
【００３４】
一方、上記走査部３９は、シフトレジスタ４９を有している。このシフトレジスタ４９は、平面型表示パネル１４の各水平ライン４０に対応する複数の出力端を備えている。そして、水平同期パルスＨＰが入力される毎に、その複数の出力端からＨレベルが順次シフトされて出力される。また、このシフトレジスタ４９は、垂直同期パルスＶＰでリセットされる。
【００３５】
そして、このシフトレジスタ４９の各出力は、それぞれバッファ増幅器５０１〜５０ｍに供給される。これらのバッファ増幅器５０１〜５０ｍは、シフトレジスタ４９の出力がＨレベルのときに一定の負電位Ｖyonを出力する。そして、各バッファ増幅器５０１〜５０ｍの出力が、平面型表示パネル１４の各水平ライン４０に供給されることになる。
【００３６】
図４は、表面伝導型電子放出素子４２の１つを拡大して示している。すなわち、ガラス基板４２１上に走査電極４２２と信号電極４２３とを形成し、各走査電極４２２と信号電極４２３とを、導電性薄膜４２４を介して、通電フォーミング処理により形成された電子放出部４２５に接続している。なお、符号４２６は通電活性化処理により形成した薄膜である。
【００３７】
このようにガラス基板４２１上に複数の電子放出素子４２が配列して形成される。そして、この複数の電子放出素子４２の配列面に面対向するように、所定間隔を置いて加速電圧印加用のスクリーン５１が配置されている。このスクリーン５１は、ガラス基板５１１上にＲＧＢに対応する蛍光体５１２を介してメタルバック５１３を設けたものである。
【００３８】
そして、上記走査電極４２２と信号電極４２３との間に電圧Ｅ１が印加されると、電子放出部４２５から電子が放出される。この放出された電子は、スクリーン５１のメタルバック５１３と走査電極４２２との間に印加された高電圧Ｅ２によってスクリーン５１側に引き付けられ、蛍光体５１２に衝突して発光させる。
【００３９】
図５（ａ）〜（ｉ）は、上記電圧パルス印加部３８におけるパルス幅変調動作を示している。ここでは、１水平走査期間分のパルス幅変調動作について説明する。図５（ａ）は水平同期信号ＨＤを示している。図５（ｂ）は、上記カウンタ４６に与えるクロックＣＫ２を示している。図５（ｃ）は、カウンタ４６の計数値を、縦軸を１０進数値として三角波状に表記して示したものである。
【００４０】
図５（ｄ）〜（ｈ）に示す波形ａ〜ａ＋４は、ラインメモリ４４から出力された映像サンプリング値がａの場合、ａ＋１の場合、……、ａ＋４の場合に、上記出力バッファ増幅器４７１〜４７nから得られるパルス幅変調信号をそれぞれ示している。図５（ｉ）は、図３における水平ライン４０のｉ本目の電位を示している。シフトレジスタ４９が水平同期パルスＨＰに合わせて上から順に１本ずつ選択的にオンし、振幅Ｖyonの負のパルスを１水平走査期間出力している。
【００４１】
図５（ｄ）に示すように、カウンタ４６の計数値が映像サンプリング値ａより小さい場合は、コンパレータ４５１〜４５ｎがＨレベルを出力し、出力バッファ増幅器４７１〜４７ｎが基準電圧Ｖrefの振幅の信号を出力する。カウンタ４６の計数値が映像サンプリング値ａを越えると、コンパレータ４５１〜４５ｎの出力がＬレベルになり、出力バッファ増幅器４７１〜４７ｎの出力がグランドレベルに落ちる。これにより、映像サンプリング値ａに応じたパルス幅の変調信号が得られる。
【００４２】
同様に、ラインメモリ４４から出力される映像サンプリング値がａ＋１の場合は、さらにクロックＣＫ２の１周期分長いパルス幅の変調信号が得られ、ラインメモリ４４から出力される映像サンプリング値がａ＋２、ａ＋３、ａ＋４、……では、その値に応じてパルス幅が決定される。
【００４３】
これにより、出力バッファ増幅器４７１〜４７ｎからは、ラインメモリ４４に保持された映像信号のサンプリング値に比例したパルス幅（階調表現に対応するパルス幅）のパルス幅変調信号が得られる。
【００４４】
出力バッファ増幅器４７１〜４７ｎから出力されたパルス幅変調信号は、係数乗算器４８１〜４８nにより係数Ｋに対応した比率にパルス幅が制限された後、垂直ライン４１に供給される。
【００４５】
このようにして、１水平走査期間分のパルス幅変調信号が垂直ライン４１に供給されている期間に、所定の選択された水平ライン４０に負の電圧Ｖyonが印加されると、その水平ライン４０に接続された各電子放出素子４２にＶref＋Ｖyonの電圧レベルが加わる。
【００４６】
このため、各電子放出素子４２は、パルス幅変調信号に応じた時間電子を放出し、蛍光体５１２がその時間に対応した輝度で発光することになる。これにより、１水平走査分の映像が表示される。
【００４７】
ここで、この実施の形態では、上記したように、各出力バッファ増幅器４７１〜４７nから出力されたパルス幅変調信号のパルス幅を、係数乗算器４８１〜４８nに設定された係数Ｋに対応した比率に制限することにより、平面型表示パネル１４における表示映像の明るさを可変するようにしている。
【００４８】
図６は、ユーザの操作によって、表示映像の明るさを可変するための処理動作をまとめたフローチャートを示している。まず、処理が開始（ステップＳ１）されると、上記制御部３４は、ステップＳ２で、表示映像の明るさを変更することを要求する操作が行なわれたか否かを判別する。
【００４９】
そして、表示映像の明るさを変更することを要求する操作が行なわれたと判断された場合（ＹＥＳ）、制御部３４は、ステップＳ３で、ＯＳＤ（on screen display）により平面型表示パネル１４に明るさ設定画面を表示させる。
【００５０】
この明るさ設定画面は、図７に示すように、「鮮やか」、「標準」、「映画」の３種類の明るさを示す表示モードに対応した項目が表示されており、いずれかの項目をリモートコントローラ１７のカーソルキーで選択し決定キーを操作することによって、明るさを設定することができる。
【００５１】
そして、制御部３４は、ステップＳ４で、明るさ設定画面上でいずれかの項目が決定されたか否かを判別し、決定されたと判断された場合（ＹＥＳ）、ステップＳ５で、その決定された項目（明るさ）に対応する係数Ｋを係数乗算器４８１〜４８nに設定して、処理を終了（ステップＳ６）する。
【００５２】
上記した実施の形態によれば、各電子放出素子４２に与えるパルス幅変調信号のパルス幅を、ユーザの設定した明るさに対応する比率に制限するようにしたので、映像信号の持つ階調を劣化させることなく、簡易な構成で表示映像の明るさを容易に可変することができるようになる。
【００５３】
この場合、例えば、設定された明るさが「鮮やか」のとき係数Ｋを１、「標準」のとき係数Ｋを０．７、「映画」のとき係数Ｋを０．５とすれば、先に述べたように、係数Ｋが少なくなるほどパルス幅が短縮されるようになって、容易に明るさを変更することができる。この例の場合には、「映画」モードに設定されたときの明るさが、「鮮やか」モードに設定されたときの明るさのほぼ半分となっている。
【００５４】
また、上記した実施の形態では、ユーザの操作によって表示映像の明るさを設定することについて述べたが、例えば、テレビジョン放送受信機１１に外光センサを設置し、周辺環境の光量に応じて表示映像の明るさを自動的に変更させるようにしても良いことはもちろんである。
【００５５】
さらに、上記した実施の形態では、ＳＥＤを例にして説明したが、例えばプラズマディスプレイの場合では、放電時間を制限することにより明るさを容易に可変することができるようになる。
【００５６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５７】
【図１】この発明の実施の形態を示すもので、テレビジョン放送受信機の外観を説明するために示す正面図。
【図２】同実施の形態におけるテレビジョン放送受信機の信号処理系を説明するために示すブロック構成図。
【図３】同実施の形態におけるテレビジョン放送受信機の映像表示部の詳細を説明するために示すブロック構成図。
【図４】同実施の形態における映像表示部に使用された電子放出素子の詳細を説明するために示す側断面図。
【図５】同実施の形態における映像表示部の電圧パルス印加部の動作を説明するために示すタイミング図。
【図６】同実施の形態における映像表示部の明るさを設定する動作を説明するために示すフローチャート。
【図７】同実施の形態における映像表示部の明るさ設定時に表示される明るさ設定画面の一例を説明するために示す図。
【符号の説明】
【００５８】
１１…テレビジョン放送受信機、１２…キャビネット、１３…支持台、１４…平面型表示パネル、１５…スピーカ、１６…操作部、１７…リモートコントローラ、１８…受信部、１９…基台、２０…アンテナ、２１…入力端子、２２…チューナ部、２３…デコーダ部、２４…セレクタ、２５…アンテナ、２６…入力端子、２７…チューナ部、２８…Ａ／Ｄ変換部、２９…入力端子、３０…Ａ／Ｄ変換部、３１…入力端子、３２…信号処理部、３３…映像表示部、３４…制御部、３５…ＲＯＭ、３６…ＲＡＭ、３７…不揮発性メモリ、３８…電圧パルス印加部、３９…走査部、４０…水平ライン、４１…垂直ライン、４２…電子放出素子、４３，４４…ラインメモリ、４５１〜４５ｎ…コンパレータ、４６…カウンタ、４７１〜４７ｎ…出力バッファ増幅器、４８１〜４８ｎ…係数乗算器、４９…シフトレジスタ、５０１〜５０ｍ…バッファ増幅器、５１…スクリーン。
【図１】
2006284854.tif 000003
【図２】
2006284854.tif 000004
【図３】
2006284854.tif 000005
【図４】
2006284854.tif 000006
【図５】
2006284854.tif 000007
【図６】
2006284854.tif 000008
【図７】
2006284854.tif 000009